(57)【要約】【課題】本発明は、コネクタを電子装置のインターフェースに容易に着脱することができるコネクタ取り外し補助装置を提供することを目的とする。【解決手段】本発明に係るコネクタ取り外し補助装置は、第一操作部品と、第一操作部品に回転可能に装着される第二操作部品と、を備える。第一操作部品は、コネクタを収容するフレームと、フレームに連接されてコネクタに連接されるケーブルを収容する収容部と、を備え、第二操作部品は、コネクタの弾性係合部を押圧できる押圧部を備える。また、フレームは、連接板と、連接板の両端から下方へ延伸する２つの固定板と、連接板の後側から下方に垂直に延伸し且つ２つの固定板の後側を連接する側板と、を備え、フレームには、コネクタを収容できる収容空間が設けられている。【選択図】図３
2014212108.tif 000002
【特許請求の範囲】
【請求項１】
第一操作部品と、前記第一操作部品に回転可能に装着される第二操作部品と、
を備えてなるコネクタ取り外し補助装置であって、
前記第一操作部品は、前記コネクタを収容するフレームと、前記フレームに連接されて前記コネクタに連接されるケーブルを収容する収容部と、を備え、前記第二操作部品は、前記コネクタの弾性係合部を押圧できる押圧部を備えることを特徴とするコネクタ取り外し補助装置。
【請求項２】
前記フレームは、連接板と、前記連接板の両端から下方へ延伸する２つの固定板と、前記連接板の後側から下方に垂直に延伸し且つ前記２つの固定板の後側を連接する側板と、を備え、前記フレームには、前記コネクタを収容できる収容空間が設けられていることを特徴とする請求項１に記載のコネクタ取り外し補助装置。
【請求項３】
前記固定板の底部には、前記コネクタの底部に係合可能なフック部がそれぞれ設置されていることを特徴とする請求項２に記載のコネクタ取り外し補助装置。
【請求項４】
前記第二操作部品は、前記収容部に回転可能に装着される連接部を備え、前記押圧部は前記連接部の前記コネクタに隣接する端から延出することを特徴とする請求項１から３の何れか一項に記載のコネクタ取り外し補助装置。
【請求項５】
前記第二操作部品は、更に前記連接部の前記押圧部と離れる端から延伸する操作部を備えることを特徴とする請求項４に記載のコネクタ取り外し補助装置。
【発明の詳細な説明】
【技術分野】
【０００１】
本発明は、コネクタ取り外し補助装置に関するものである。
【背景技術】
【０００２】
従来の技術において、コネクタを電子装置のインターフェースから取り外す又はインターフェースに挿入させる場合、コネクタの上面に形成された弾性係合部を押圧して、電子装置のインターフェースからコネクタを取り出す又はインターフェースにコネクタを挿入させる。しかし、操作空間は制限されているため、作業に困難である。
【発明の概要】
【発明が解決しようとする課題】
【０００３】
本発明の目的は、前記問題を解決し、コネクタを電子装置のインターフェースに容易に着脱することができるコネクタ取り外し補助装置を提供することである。
【課題を解決するための手段】
【０００４】
上記目的を達成するために、本発明に係るコネクタ取り外し補助装置は、第一操作部品と、前記第一操作部品に回転可能に装着される第二操作部品と、を備える。前記第一操作部品は、コネクタを収容するフレームと、前記フレームに連接されて前記コネクタに連接されるケーブルを収容する収容部と、を備え、前記第二操作部品は、コネクタの弾性係合部を押圧できる押圧部を備える。
【発明の効果】
【０００５】
本発明のコネクタ取り外し補助装置は、従来の技術に比べて、若干遠距離から弾性係合部を押圧できるので、操作空間が小さい場合でも、コネクタを容易に着脱することができる。
【図面の簡単な説明】
【０００６】
【図１】本発明の実施形態に係るコネクタ取り外し補助装置及び電子装置の分解斜視図である。
【図２】図１に示すコネクタ取り外し補助装置の分解斜視図である。
【図３】図２に示すコネクタ取り外し補助装置の別の視角から見た分解斜視図である。
【発明を実施するための形態】
【０００７】
図１〜図３に示したように、本発明の実施形態に係るコネクタ取り外し補助装置１００は、ケーブル３０４の一端に連接されたコネクタ３００を、電子装置５００のインターフェース５０２に挿入させる又はインターフェース５０２から取り外す際に使用される。コネクタ取り外し補助装置１００は、第一操作部品２０及び第一操作部品２０に回転可能に連接された第二操作部品４０を備える。
【０００８】
コネクタ３００の上面の先端には、コネクタ３００の後端に向けて斜め上方に延伸する弾性係合部３０５が設置されている。また、コネクタ３００の底壁の後端には、係合スロット３０６が設けられている。
【０００９】
第一操作部品２０は、フレーム２２及びフレーム２２に連接され且つ弾性材料から製造された収容部２４を備える。フレーム２２は、矩形の連接板２２２と、連接板２２２の両端から下方へ垂直に延伸する２つの固定板２２４と、連接板２２２の後側から下方に垂直に延伸し且つ２つの固定板２２４の後側を連接する側板２２５と、を備える。フレーム２２には、収容空間２２６が設けられている。各固定板２２４の底端には、フック部２２７が設置されている。収容部２４の切断面はＣ字状を呈し、収容部２４には、収容部２４の両端を貫通し且つ収容空間２２６に連通する収容スロット２４２が設けられている。
【００１０】
第二操作部品４０は、ピン６０を介して収容部２４の一側に回転可能に装着された連接部４２と、連接部４２の後端から後方向へ且つ若干斜め上方に延伸する操作部４４と、連接部４２の前端から収容部２４の他側に向けて垂直に延伸する押圧部４６と、を備える。
【００１１】
コネクタ取り外し補助装置１００を使用する際、先ず、コネクタ３００を収容空間２２６内に収容する。この際、コネクタ３００はフック部２２７に接触し、２つのフック部２２７をそれぞれ互いに離れるように弾性変形させる。コネクタ３００が収容空間２２６内に完全に収容される（つまり、２つのフック部２２７がコネクタ３００の係合スロット３０６に対向する）と、２つのフック部２２７は弾性復帰して、係合スロット３０６内に係合される。また同時に、切断面がＣ字状を呈する収容スロット２４２に、ケーブル３０４を入れ込んで収容する。この時、フレーム２２は、コネクタ３００の後部に装着され、弾性係合部３０５は、連接板２２２の上方に位置する。これにより、第二操作部品４０の操作部４４を操作すると、押圧部４６は、弾性係合部３０５を押圧することができる。この際、収容部２４を握り、コネクタ３００をインターフェース５０２に挿入できる。
【００１２】
コネクタ３００をインターフェース５０２から取り外す際、第二操作部品４０の操作部４４を操作して、連接部４２を回転させ、押圧部４６を連動して弾性係合部３０５を押圧する。次いで、収容部２４を握り、コネクタ３００をインターフェース５０２から取り外せばよい。
【００１３】
他の実施形態において、第二操作部品４０を操作して、押圧部４６が弾性係合部３０５を押圧しさえすれば、コネクタ取り外し補助装置１００をコネクタ３００の形状に応じて異なる形状にしてもよい。
【００１４】
本発明のコネクタ取り外し補助装置１００は、従来の技術に比べて、若干遠距離から弾性係合部３０５を押圧できるので、操作空間が小さい場合でも、コネクタ３００を容易に着脱することができる。
【符号の説明】
【００１５】
１００  コネクタ取り外し補助装置
２０  第一操作部品
２２  フレーム
２２２  連接板
２２４  固定板
２２５  側板
２２６  収容空間
２２７  フック部
２４  収容部
２４２  収容スロット
３００  コネクタ
３０４  ケーブル
３０５  弾性係合部
３０６  係合スロット
４０  第二操作部品
４２  連接部
４４  操作部
４６  押圧部
５００  電子装置
５０２  インターフェース
６０  ピン
【図１】
2014212108.tif 000003
【図２】
2014212108.tif 000004
【図３】
2014212108.tif 000005